(57)【要約】【課題】使い勝手の良い生活見守り装置を提供する。【解決手段】センサ部１０２と、センサ部１０２で測定したセンサデータに関する情報を記憶する記憶部１０４と、情報からイベントの発生及び電子メールの送受信を制御する制御部１０５とを備え、制御部１０５は、情報の一部又は全部の送信要求を受けた場合に、要求された情報を電子メールで送信する。【選択図】図２
2019191656.tif 000002
【特許請求の範囲】
【請求項１】
センサ部と、
前記センサ部で測定したセンサデータに関する情報を記憶する記憶部と、
前記情報からイベントの発生及び電子メールの送受信を制御する制御部と、
を備え、
前記制御部は、前記情報の一部又は全部の送信要求を受けた場合に、要求された情報を電子メールで送信する
生活見守り装置。
【請求項２】
前記情報は、温度、湿度、人感センサ、音センサ、ＷＢＧＴ及び熱中症指数レベルからなる群から選ばれた少なくとも一つである
請求項１に記載の生活見守り装置。
【請求項３】
前記記憶部は、前記情報を日時に関連付けて記憶する
請求項２に記載の生活見守り装置。
【請求項４】
前記情報をグラフ化して前記電子メールで送信する
請求項３に記載の生活見守り装置。
【請求項５】
前記制御部は、前記イベントが発生した場合に、イベント発生を知らせる電子メールを送信する
請求項４に記載の生活見守り装置。
【請求項６】
前記イベントは、温湿度イベント、熱中症イベント、警報ブザー解除イベント、定期通知イベント、緊急ボタンイベント及び無反応イベントからなる群から選ばれた少なくとも一つであり、
前記イベントの種類に応じて、イベント発生を知らせる電子メールの内容を設定できる
請求項５に記載の生活見守り装置。
【請求項７】
前記イベントの種類に応じて、前記イベント発生を知らせる電子メールの送信先を設定できる
請求項６に記載の生活見守り装置。
【発明の詳細な説明】
【技術分野】
【０００１】
本発明は、生活見守り装置に関するものである。
【背景技術】
【０００２】
生活見守り装置として、例えば、「人感センサと、人感センサの反応の計数と解析結果をサーバーまたはパソコンやスマホなどのクライアントに情報を送信する機能を持つ処理装置で構成する生活見守り装置にあって、前記生活見守り装置を見守り対象者宅の一日の多くの時間滞在する場所で人感センサ感知エリアが就寝エリアを含まない箇所に１台設置し、前記処理装置は人感センサを人の動きを追跡できる時間間隔でスキャンニングし、前記人感センサの反応がある場合は人感センサ反応数を加算し、人感センサ反応数を数分から数十分程度の定周期で蓄積し、睡眠の開始、睡眠の終了、生活反応が長時間ない等の事象を判定する周期時間において、前記夫々の事象毎に設定された時間間隔の蓄積された人感センサ反応数の累計と、前記夫々の事象毎に設定された閾値と比較し、睡眠の開始、睡眠の終了、睡眠時間、生活反応が長時間ない等の事象を決定することを特徴とする生活見守り装置」が提案されている（例えば特許文献１）。
【先行技術文献】
【特許文献】
【０００３】
【特許文献１】特許第６１４５９０７号公報
【発明の概要】
【発明が解決しようとする課題】
【０００４】
しかしながら、特許文献１に記載の生活見守り装置は、設定された情報（例えば、睡眠時間）を設定されたタイミング（例えば、毎日定時刻）で繰り返しメールで送信するだけで、特定の日時（例えば、数か月前）の情報を要求することはできず、使い勝手の悪い面があった。
本発明が解決しようとする課題は、使い勝手の良い生活見守り装置を提供することにある。
【課題を解決するための手段】
【０００５】
本発明の一態様に係る生活見守り装置は、センサ部と、前記センサ部で測定したセンサデータに関する情報を記憶する記憶部と、前記情報からイベントの発生及び電子メールの送受信を制御する制御部と、を備え、前記制御部は、前記情報の一部又は全部の送信要求を受けた場合に、要求された情報を電子メールで送信することを特徴とする。
以下、電子メール（Ｅメール）を単に「メール」と称する場合もある。
【発明の効果】
【０００６】
本発明によれば、要求された情報を電子メールで送信するため、使い勝手が良い。
【図面の簡単な説明】
【０００７】
【図１】本実施形態に係る生活見守り装置を示す図であり、（ａ）は上面図、（ｂ）は正面図、（ｃ）は背面図である。
【図２】本実施形態に係る生活見守り装置の全体構成を示すブロック図である。
【図３】イベントのライフサイクルを示す図である。
【図４】主制御部の処理を示すフローチャートである。
【図５】２０１７年８月２９日（木）のセンサデータに関する情報をグラフ化したものである。
【図６】温湿度イベント制御部の処理を示すフローチャートである。
【図７】熱中症イベント制御部の処理を示すフローチャートである。
【図８】警報ブザー解除イベント制御部の処理を示すフローチャートである。
【図９】定期通知イベント制御部の処理を示すフローチャートである。
【図１０】緊急ボタンイベント制御部の処理を示すフローチャートである。
【図１１】無反応イベント制御部の処理を示すフローチャートである。
【図１２】メール送信制御部の処理を示すフローチャートである。
【図１３】メール送信テーブルＴ３を示す図である。
【図１４】コマンドメール制御部の処理を示すフローチャートである。
【図１５】情報記憶制御部の処理を示すフローチャートである。
【図１６】変形例に係るメール送信制御部の処理を示すフローチャートである。
【発明を実施するための形態】
【０００８】
＜概要＞
本発明の一態様に係る生活見守り装置は、センサ部と、前記センサ部で測定したセンサデータに関する情報を記憶する記憶部と、前記情報からイベントの発生及び電子メールの送受信を制御する制御部と、を備え、前記制御部は、前記情報の一部又は全部の送信要求を受けた場合に、要求された情報を電子メールで送信する。これにより、要求された情報（例えば、数か月前の情報）を電子メールで送信できるため、使い勝手が良い。
【０００９】
本明細書において、センサデータに関する情報とは、センサ部で測定した生データ（温度、湿度等）の他、生データより算出したデータ（ＷＢＧＴ、熱中症指数レベル等）等を含む意味であり、例えば、温度、湿度、人感センサ、音センサ、ＷＢＧＴ、熱中症指数レベル等の情報をいう。なお、ＷＢＧＴ(Wet Bulb Globe Temperature）は、湿球黒球温度のことで、暑さ指数を示す。
【００１０】
ここで、前記情報の一部又は全部の送信要求を受けた場合とは、例えば、後述する表１０のコマンド名に対応するデータ内容に示す、センサデータに関する情報（温度、湿度、人感センサ、音センサ、ＷＢＧＴ、熱中症指数レベル等）の送信要求を受けた場合をいう。
【００１１】
別態様に係る生活見守り装置において、前記記憶部は、前記情報を日時に関連付けて記憶する。これにより、管理者が所望する日時の情報を電子メールで取得することができる。
本明細書において「日時」には、日、時だけでなく、年、月や分、秒を含んでいてもよい。
【００１２】
別態様に係る生活見守り装置において、前記情報をグラフ化して前記電子メールで送信する。これにより、管理者が所望する日時の熱中症指数レベル、人感、音の頻度等の情報を、色の違い等により一目で把握することができる。
【００１３】
別態様に係る生活見守り装置において、前記イベントは、温湿度イベント、熱中症イベント、警報ブザー解除イベント、定期通知イベント、緊急ボタンイベント及び無反応イベントからなる群から選ばれた少なくとも一つであり、前記イベントの種類に応じて、イベント発生を知らせる電子メールの内容を設定できる。これにより、電子メールの送信内容を任意に設定可能であり、イベントの内容を容易に把握することができる。
【００１４】
＜実施形態＞
以下に実施形態について、図面を参照しながら詳細に説明する。
１．全体構成
主に、図２を用いて説明する。
生活見守り装置１００は、センサ部１０２、記憶部１０４、制御部１０５を備える。ここではさらにパネル部１０１、通信部１０３、無線受信部１０６、タイマ１０７、ＵＳＢの挿込口１０８、ＬＡＮケーブルの挿込口１０９を備える。
生活見守り装置１００は、センサ部１０２で取得したセンサデータに関する情報が閾値から外れた場合等にイベントを発生させ、外部装置（例えば、ＰＣ端末２００）に電子メール（イベントメール）を送信する。
以下、各部について説明する。
【００１５】
２．各部構成
主に、図１及び図２を用いて説明する。
図１に示す生活見守り装置１００の外径寸法及び質量は特に限定はないが、ここでは幅１２２ｍｍ×奥行１２２ｍｍ×高さ４２ｍｍ、質量は約２７０ｇである。
【００１６】
（１）パネル部
パネル部１０１は、生活見守り装置１００に関する操作を受け付ける。例えば、見守り機能を発揮したり、解除するための操作ボタンや操作スイッチ等を備える。パネル部１０１は、電源ボタン１１、警報解除ボタン１２、音量スイッチ１３、状態ＬＥＤ１４、熱中症指数ＬＥＤ１５、リセットボタン１６を備える。
生活見守り装置１００の上面には、電源ボタン１１及び警報解除ボタン１２が設けられ、生活見守り装置１００の正面には、状態ＬＥＤ１４及び熱中症指数ＬＥＤ１５が設けられ、生活見守り装置１００の背面には、リセットボタン１６が設けられている。
【００１７】
電源ボタン１１は、長押しすることにより電源の入／切の切り替えを行うことができる。
警報解除ボタン１２は、警報ブザーが鳴っているときに押すことで、ブザーを解除できる。
音量スイッチ１３は、警報ブザーの音量を、ここでは切／小／大の３段階に切替えて調整できる。
【００１８】
状態ＬＥＤ１４は、生活見守り装置１００の状態で表示する。ここでは、下記の表１に示すように、発光色が緑色と赤色の２種類で利用されている。
【００１９】
【表１】
2019191656.tif 000003
【００２０】
熱中症指数ＬＥＤ１５は、熱中症指数レベルを表示する。ここでは、複数個（例えば４個）のＬＥＤを利用し、各熱中症指数レベルに対応するＬＥＤが点灯する。例えば、「緑」はＬｖ．１（平常）、「黄」はＬｖ．２（注意）、「橙」はＬｖ．３（警戒）、「赤」はＬｖ．４（危険）の４段階で表示する。
【００２１】
リセットボタン１６は、初期化モードのリセットを行う際に使用する。正常稼働中にリセットボタン１６を長押しすることでリセット準備中に移行し、その後にリセット動作を操作する。初期化モードには、ネットワーク情報のみの初期化（以下、「ネットワークリセット」という。）と、全ての設定（ネットワーク設定含む）の初期化（工場出荷時に戻す）（以下、「初期リセット」という。）の２通りがある。
【００２２】
（２）センサ部
センサ部１０２は、温湿度センサ２１、人感センサ２２、音センサ２３を備える。
温湿度センサ２１は、生活見守り装置１００の周辺の温度と湿度を測定する。
人感センサ２２は、生活見守り装置１００の周辺の人の動きを感知する。
音センサ２３は、生活見守り装置１００の周辺の音を感知する。音センサ２３は、マイク穴２４の奥に設けられている。
【００２３】
（３）通信部
生活見守り装置１００は、ＬＡＮを利用して外部装置（例えば、ＰＣ端末２００）と通信可能に接続され、インターネットと接続される。
【００２４】
（４）記憶部
記憶部１０４は、ＲＯＭ４１、ＲＡＭ４２、メモリ（例えば、ＨＤＤ４３）等を含み、各種のプログラム、センサデータに関する情報（例えば、温度、湿度、人感センサ、音センサ、ＷＢＧＴ、熱中症指数レベル等）、設定項目（装置やネットワーク等）の設定内容等を記憶する。なお、記憶部１０４に記憶されるプログラムとしては、複数種のイベントを実行するためのもの等がある。
ＨＤＤ４３は、例えば、センサデータに関して集計された情報を日単位で最大４００日分記憶する。
【００２５】
（５）制御部
制御部１０５は、ＣＰＵを有し、マルチタスク処理を行う。制御部１０５は、主制御部５０、温湿度イベント制御部５１、熱中症イベント制御部５２、警報ブザー解除イベント制御部５３、定期通知イベント制御部５４、緊急ボタンイベント制御部５５、無反応イベント制御部５６、メール送信制御部５７、コマンドメール制御部５８、情報記憶制御部５９を備える。
【００２６】
主制御部５０は、生活見守り装置１００全体の制御を行う。具体的には、各制御部５１〜５９で使用する設定内容を管理する。主制御部５０は、例えば、ＰＣ端末２００からの設定内容（例えば、ネットワーク設定、各種イベント設定、コマンドメール設定等）の入力、変更や、状態ＬＥＤ１４の点灯状態等を制御する。
なお、ＰＣ端末２００からの設定は、生活見守り装置１００を起動し、ＰＣ端末２００から生活見守り装置１００用サーチをダウンロードし、ＩＰアドレスを取得し設定画面に接続する等により行われる。ネットワーク設定は、有線ＬＡＮ設定もしくは無線ＬＡＮ設定により行われる。
【００２７】
主制御部５０は、例えば、表２のイベントメールテーブルＴ１に示すように、イベント毎にメール送信設定を制御する。
【００２８】
【表２】
2019191656.tif 000004
【００２９】
温湿度イベント制御部５１は、生活見守り装置１００周辺の温度・湿度を記憶部１０４から取得し、温湿度イベント発生の有無や、温湿度イベント発生のメール送信指示等を制御する。
【００３０】
熱中症イベント制御部５２は、ＷＢＧＴや温度等の情報を記憶部１０４から取得し、熱中症イベント発生の有無や、熱中症イベント発生のメール送信指示等を制御する。
【００３１】
警報ブザー解除イベント制御部５３は、警報ブザー解除イベント発生の有無や、警報ブザー解除イベント発生のメール送信指示等を制御する。
定期通知イベント制御部５４は、定期通知イベント発生の有無や、定期通知イベント発生のメール送信指示等を制御する。
緊急ボタンイベント制御部５５は、緊急ボタンイベント発生の有無や、緊急ボタンイベント発生のメール送信指示等を制御する。
無反応イベント制御部５６は、無反応イベント発生の有無や、無反応イベント発生のメール送信指示等を制御する。
メール送信制御部５７は、各イベント発生のメール送信等を制御する。
コマンドメール制御部５８は、コマンドメールやコマンド返信メールの設定や、コマンド返信メールの送信指示等を制御する。
情報記憶制御部５９は、センサデータに関する情報を日時と関連付けて記憶部１０４に記憶する。
【００３２】
（６）無線受信部
無線受信部１０６は、装置外部の無線送信モジュール（例えば、リモコン６１）からの信号を受信する。リモコン６１には緊急ボタン、通信確認ボタンが設けられている。緊急時に緊急ボタンを押下することで、生活見守り装置１００側にＯＮ信号が送信され、無線受信部１０６はその信号を受信する。
【００３３】
（７）タイマ
タイマ１０７は現在の時刻を計測し、各制御部５０〜５９の要求にしたがって現在の時刻（年月日、時分秒を含む）を出力する。
【００３４】
（８）ＵＳＢの挿込口
ＵＳＢの挿込口１０８は、生活見守り装置１００の背面に設けられ、ＡＣアダプタの挿込口として利用される。
【００３５】
（９）ＬＡＮケーブルの挿込口
ＬＡＮケーブルの挿込口１０９は、生活見守り装置１００の背面に設けられ、ルータ３００と生活見守り装置１００とをケーブルで接続する際のＬＡＮケーブルの挿込口として利用される。
【００３６】
３．ルータ（アクセスポイント）
ルータ３００は、例えば、有線ＬＡＮと無線ＬＡＮそれぞれにＭＡＣアドレスを有する生活見守り装置１００にＩＰアドレスを割り当てて接続設定を行うことが可能である。
また、ルータ３００はＩＰアドレスを自動的に割り当てるＤＨＣＰ機能を有し、アクセスポイントがＤＨＣＰ割付設定されている場合、有線ＬＡＮ接続の設定はＬＡＮケーブルで接続するだけで詳細設定は不要である。
一方、無線ＬＡＮ接続の設定は、利用可能なアクセスポイントをスキャンして接続したいアクセスポイントを選択し、パスワードを入力するだけで接続が可能である。
なお、有線ＬＡＮ接続もしくは無線ＬＡＮ接続において、ＩＰアドレス、ＤＮＳサーバ共に固定アドレスの設定も可能である。
【００３７】
４．ＰＣ端末
ＰＣ端末２００としては、例えば、パソコン、タブレット、スマートフォン等があげられる。ＰＣ端末２００は１台に限らず、複数台使用することもできる。
ＰＣ端末２００は、ＬＡＮ内のルータ３００により生活見守り装置１００と通信可能に接続されている。生活見守り装置１００の各種設定は、ＰＣ端末２００の設定画面にて行うことができる。ここでは、ＰＣ端末２００の設定画面自体が生活見守り装置１００のモニタ表示画面として機能するので、温度、湿度、熱中症指数レベル、時間、ユニット状態を表示することもできる。
また、上記設定画面からは記憶部１０４に記憶されている情報の過去データをＰＣ端末２００にダウンロードすることもできるので、必要時に簡単に過去データを確認することができる。
ＰＣ端末２００に表示される設定画面には、ネットワーク設定（有線ＬＡＮ設定、無線ＬＡＮ設定）、メール送受信設定、イベント設定、コマンドメール設定、システム設定がある。メニューから各画面にアクセスし所望の設定を完了する。ＬＡＮ内のＰＣ端末２００の設定画面で各種設定や、モニタリング、データダウンロード等ができるため、情報漏洩の可能性が低く安全である。
【００３８】
５．イベント
イベントとは、メール送信や、警報ブザーを鳴らす等のアクションを起こす条件の種類をいう。イベントが発生した場合、イベント発生メールが指定されたメールアドレス宛に送信される。
なお、メールの送信に失敗した場合、送信されなかったメールは電源を切らない限り記憶部１０４に保存され、メール送信が可能になると、今まで送信されなかったメールはまとめて送信される。
【００３９】
（５−１）イベントのライフサイクル
イベントは基本的に待機中、イベント発生、イベント発生中、イベント抑制、イベント終了の５つの状態を持っている。イベント発生状態になることでメール送信、警報ブザーを鳴らす等のアクションが起こる。
各状態への遷移は、図３のようになる。図中の番号の意味は、表３に示すようになる。番号のない矢印は、その状態の処理が終わると次の状態に遷移する。
【００４０】
【表３】
2019191656.tif 000005
【００４１】
６．イベント設定
（６−１）温湿度イベント設定
ＰＣ端末２００の設定画面にて、下記の（項目１）〜（項目１０）を必要に応じて設定する。（項目２）〜（項目７）は、イベント発生条件の設定である。なお、この設定は記憶部１０４に記憶される。
（項目１）本イベント自体の有効／無効の選択
（項目２）温度○℃以上
（項目３）温度○℃以下
（項目４）湿度○％以上
（項目５）湿度○％以下
（項目６）温度○℃以上かつ湿度○％以上
（項目７）温度○℃以下かつ湿度○％以下
（項目８）イベント抑制機能の有効／無効の選択
（項目９）本イベントの発生抑制時間
（項目１０）メール本文の設定
【００４２】
例えば、表４に示すように、本イベント自体を有効（項目１）、本イベントの発生条件を温度３０℃以上かつ湿度６５％以上（項目６）、イベント抑制機能を有効（項目８）、本イベントの発生抑制時間を２時間（項目９）に設定することができる。
【００４３】
【表４】
2019191656.tif 000006
【００４４】
（６−２）熱中症イベント設定
ＰＣ端末２００の設定画面にて、下記の（項目１）〜（項目１０）を必要に応じて設定する。なお、この設定は記憶部１０４に記憶される。
（項目１）本イベント自体の有効／無効の選択
（項目２）本イベント発生のレベル選択
（項目３）本イベント発生時の警報ブザーＯＮ／ＯＦＦの選択
（項目４）人感センサと連動の有効／無効の選択
（項目５）人感センサの頻度
（項目６）音センサと連動の有効／無効の選択
（項目７）音センサの頻度
（項目８）イベント抑制の有効／無効の選択
（項目９）イベント抑制時間の設定
（項目１０）メール本文の設定
なお、項目２の本イベント発生のレベルは、下記の表５に示すように、ＷＢＧＴまたは温度から決定される。また、項目５は、○回／分以上の頻度で人感センサがＯＮしていない場合、つまり人を感知していない場合には本イベントは発生しない。項目７は、○回／分以上の頻度で音センサがＯＮしていない場合、つまり音を感知していない場合には本イベントは発生しない。
【００４５】
【表５】
2019191656.tif 000007
【００４６】
例えば、表６に示すように、本イベント自体を有効（項目１）、本イベント発生のレベルをＬｖ．３（警戒）（項目２）、本イベント発生時の警報ブザーをＯＮ（項目３）、人感センサと連動を有効（項目４）、人感センサの頻度を３回／分（項目５）、音センサと連動を有効（項目６）、音センサの頻度を３回／分（項目７）、イベント抑制機能を有効（項目８）、本イベントの発生抑制時間を２時間（項目９）に設定することができる。
【表６】
2019191656.tif 000008
【００４７】
（６−３）警報ブザー解除イベント設定
ＰＣ端末２００の設定画面にて、下記の（項目１）及び（項目２）を設定する。なお、この設定は記憶部１０４に記憶される。
（項目１）本イベント自体の有効／無効の選択
（項目２）メール本文の設定
【００４８】
（６−４）定期通知イベント設定
ＰＣ端末２００の設定画面にて、下記の（項目１）〜（項目３）を設定する。なお、この設定は記憶部１０４に記憶される。
（項目１）本イベント自体の有効／無効の選択
（項目２）メール送信の時刻設定
（項目３）メール本文の設定
なお、項目２は、３０分単位で選択設定が可能である。
【００４９】
例えば、表７に示すように、本イベント自体を有効（項目１）、メール送信時刻を７時００分（項目２）に設定すると、設定した時刻に前日のセンサデータに関する情報（ＣＳＶファイル、グラフ等）を記載または添付した定期通知イベントメールが指定されたメールアドレス宛に送信される。
【００５０】
【表７】
2019191656.tif 000009
【００５１】
（６−５）緊急ボタンイベント設定
ＰＣ端末２００の設定画面にて、下記の（項目１）及び（項目２）を設定する。なお、この設定は記憶部１０４に記憶される。
（項目１）本イベント自体の有効／無効の選択
（項目２）メール本文の設定
【００５２】
本実施形態の生活見守り装置１００は、センサデータに関する情報（温度、湿度、人感センサ、音センサ、ＷＢＧＴ及び熱中症指数レベル等）を適宜組み合わせて、生活見守り装置１００の対象者（主に高齢者等）の日々の情報、活動状況や室内環境をデータ化し、解析することにより、対象者の行動パターンや普段の生活リズムを把握できるようにしている。万が一の急務の際には、リモコン６１の緊急ボタンを押すことにより、本イベントが発生し、指定されたメールアドレス宛にメールが送信され、管理者に緊急連絡を行うことができる。また、行動パターンから著しく乖離していると判断した場合にも、管理者にメールで緊急連絡を行うこともできる。
【００５３】
（６−６）無反応イベント設定
ＰＣ端末２００の設定画面にて、下記の（項目１）〜（項目７）を必要に応じて設定する。（項目２）〜（項目５）は判定条件である。なお、この設定は記憶部１０４に記憶される。
（項目１）本イベント自体の有効／無効の選択
（項目２）人感センサのみ
（項目３）音センサのみ
（項目４）人感センサかつ音センサ
（項目５）人感センサまたは音センサ
（項目６）無反応時間の設定
（項目７）メール本文の設定
【００５４】
例えば、表８に示すように、本イベント自体を有効（項目１）、判定条件を人感センサかつ音センサ（項目４）、無反応時間を２日（２８８０分）（項目６）に設定することができる。
【００５５】
【表８】
2019191656.tif 000010
【００５６】
７．コマンドメール設定
ＰＣ端末２００の設定画面にて、コマンドメール機能を有効にすると、表１０のコマンドメールテーブルＴ２に示すようにメールでの設定が可能となる。コマンドメール機能は有効／無効の選択をすることができる。コマンドメール機能を使用する場合、送信メール設定とは別に受信メールサーバ設定が必要である。但し、送信メールと同じアカウントを設定することも可能である。
下記の表９は、コマンドメールの設定例を示す。
【００５７】
【表９】
2019191656.tif 000011
【００５８】
管理者からコマンドメールを受信すると、メールに格納されているコマンド（表１０参照）に従って、所望のデータ内容を記載または添付して、表１０に記載のメールアドレス宛にコマンド返信メールを返信する。
【００５９】
【表１０】
2019191656.tif 000012
【００６０】
図５は２０１７年８月２９日（木）のセンサデータに関する情報をグラフ化したものであり、指定した日付の温度、湿度、ＷＢＧＴ、熱中症指数レベル、人感、音の頻度や状況を、色の違い等により一目で把握することができる。
【００６１】
（７−１）返信用メールアドレス設定
返信メールは、送信メールと同じメールアドレスを設定できる。また、既存のネットワーク契約のＥメールや、google（登録商標）、yahoo（登録商標）等のフリーメールも使用可能である。また、登録したＥメールが正常に受信サーバへアクセス可能であるかの確認を行うために、接続テストの機能を搭載することもできる。
【００６２】
８．生活見守り装置の処理
（８−１）．主制御部の処理
主制御部５０の処理について、図４を用いて説明する。
まず、処理は、電源ボタン１１が長押しされて生活見守り装置１００の電源が入った状態となるとスタートする。
ステップ１において、生活見守り装置１００のネットワーク設定等の設定がされていなければ（ステップ１において、「Ｎｏ」である）、ステップ２に移行し生活見守り装置１００のネットワーク設定等の設定をする。
ステップ３において、ネットワークリセットされた場合には（ステップ３において、「Ｙｅｓ」である）、ステップＳ４に移行してネットワーク設定をする。
次に、ステップ５において、初期リセットされていない場合には（ステップ５において、「Ｎｏ」である）、ステップＳ６に移行して設定情報の変更があるかを判断する。
ＰＣ端末２００の操作により設定変更された場合の設定情報の変更があれば（ステップ６において、「Ｙｅｓ」である）、ステップ７に移行して、記憶部１０４に記憶している設定情報を変更し、ステップ３に戻る。
【００６３】
（８−２）温湿度イベント処理
温湿度イベント制御部５１の温湿度イベント処理について、図６を用いて説明する。ここでは、温湿度イベント設定が、前述の表４の場合について説明する。
まず、処理は、電源ボタン１１が長押しされて生活見守り装置１００の電源が入った状態となるとスタートする。
次に、ステップ１１において、本イベント自体の有効／無効を示す変数（Ｅｖ）が０（有効）である場合（ステップ１１において、「Ｙｅｓ」である）、ステップ１２に移行して、温度・湿度を記憶部１０４から取得する。
ステップ１３において、温度・湿度が閾値から外れると（温度３０℃以上かつ湿度６５％以上）（ステップ１３において、「Ｙｅｓ」である）、本イベントが発生する。
ステップ１４において、タイマ１０７から現在の時刻を取得する。
ステップ１５において、本イベントの発生を知らせるメール送信を指示する。なお、指示はメール送信テーブルＴ３（図１３参照）への書き込みにより行われる。
次に、ステップ１６において、イベントを抑制する場合（ステップ１６において、「Ｙｅｓ」である）は、ステップ１７に移行してステップ１４で取得した時間から設定したイベント抑制時間（２時間）が経過したかを判断する。
設定したイベント抑制時間（２時間）経過すると（ステップ１７において、「Ｙｅｓ」である）、ステップ１１に戻る。
【００６４】
（８−３）熱中症イベント処理
熱中症イベント制御部５２の熱中症イベント処理について、図７を用いて説明する。ここでは、熱中症イベント設定が、前述の表６の場合について説明する。
まず、処理は、電源ボタン１１が長押しされて生活見守り装置１００の電源が入った状態となるとスタートする。
次に、ステップ２１において、本イベント自体の有効／無効を示す変数（Ｅｖ）が０（有効）である場合（ステップ２１において、「Ｙｅｓ」である）、ステップ２２に移行して、熱中症指数レベルを記憶部１０４から取得する。
次に、熱中症指数レベルが設定レベル（ＬＥｖ．３）に達し（ステップ２３において、「Ｙｅｓ」である）、人感センサ２２と連動させている場合（ステップ２４において、「Ｙｅｓ」である）、人感センサ２２の頻度が設定頻度（３回／分）以上であれば（ステップ２５において、「Ｙｅｓ」である）、ステップ２６に移行する。
次に、音センサ２３と連動させている場合（ステップ２６において、「Ｙｅｓ」である）、音センサ２３の頻度が設定頻度（３回／分）以上であれば（ステップ２７において、「Ｙｅｓ」である）、本イベントが発生する、
ステップ２８において、警報ブザーを鳴らす設定の場合（ステップ２８において、「Ｙｅｓ」である）は、ステップ２９に移行して警報ブザーを鳴らす。
ステップ３０において、タイマ１０７から現在の時間を取得し、ステップ３１において、本イベントの発生を知らせるメール送信を指示する。なお、指示はメール送信テーブルＴ３（図１３参照）への書き込みにより行われる。
次に、ステップ３２において、イベントを抑制する場合は（ステップ３２において、「Ｙｅｓ」である）、ステップ３３に移行してステップ３０で取得した時間から設定したイベント抑制時間（２時間）が経過したかを判断する。
設定したイベント抑制時間（２時間）経過すると（ステップ３３において、「Ｙｅｓ」である）、経過するとステップ２１に戻る。
【００６５】
（８−４）警報ブザー解除イベント処理
警報ブザー解除イベント制御部５３の警報ブザー解除イベント処理について、図８を用いて説明する。
まず、処理は、熱中症イベントが発生し警報ブザーが鳴るとスタートする。
次に、ステップ４１において、本イベント自体の有効／無効を示す変数（Ｅｖ）が０（有効）である場合（ステップ４１において、「Ｙｅｓ」である）、ステップ４２に移行して、警報解除ボタン１２が押されると（ステップ４２において、「Ｙｅｓ」である）、ステップＳ４３に移行して本イベントの発生を知らせるメール送信を指示し、ステップ４１に戻る。なお、指示はメール送信テーブルＴ３（図１３参照）への書き込みにより行われる。
【００６６】
（８−５）定期通知イベント処理
定期通知イベント制御部５４の定期通知イベント処理について、図９を用いて説明する。ここでは、定期通知イベント設定が、前述の表７の場合について説明する。
まず、処理は、電源ボタン１１が長押しされて生活見守り装置１００の電源が入った状態となるとスタートする。
ステップ５１において、本イベント自体の有効／無効を示す変数（Ｅｖ）が０（有効）である場合（ステップ５１において、「Ｙｅｓ」である）、ステップ５２に移行して、タイマ１０７から取得した時間がメール送信の設定時刻（７時００分）になれば（ステップ５２において、「Ｙｅｓ」である）、ステップ５３に移行して本イベントの発生を知らせるメール送信を指示し、ステップ５１に戻る。なお、指示はメール送信テーブルＴ３（図１３参照）への書き込みにより行われる。
【００６７】
（８−６）緊急ボタンイベント処理
緊急ボタンイベント制御部５５の緊急ボタンイベント処理について、図１０を用いて説明する。
まず、処理は、電源ボタン１１が長押しされて生活見守り装置１００の電源が入った状態となるとスタートする。
ステップ６１において、本イベント自体の有効／無効を示す変数（Ｅｖ）が０（有効）である場合（ステップ６１において、「Ｙｅｓ」である）、ステップ６２に移行して、緊急ボタンの操作を受信した場合（リモコン６１の緊急ボタンが押された場合）は（ステップ６２において、「Ｙｅｓ」である）、ステップ６３に移行して本イベントの発生を知らせるメール送信を指示し、ステップ６１に戻る。なお、指示はメール送信テーブルＴ３（図１３参照）への書き込みにより行われる。
【００６８】
（８−７）無反応イベント処理
無反応イベント制御部５６の無反応イベント処理について、図１１を用いて説明する。ここでは、無反応イベント設定が、前述の表８の場合について説明する。
まず、処理は、電源ボタン１１が長押しされて生活見守り装置１００の電源が入った状態となるとスタートする。
ステップ７１において、本イベント自体の有効／無効を示す変数（Ｅｖ）が０（有効）である場合（ステップ７１において「Ｙｅｓ」である）、ステップ７２に移行して人感センサが有効であり（ステップ７２において「Ｙｅｓ」である）、人感反応未検出であれば（ステップ７３において「Ｙｅｓ」である）、ステップ７４に移行する。
ステップ７４で音センサが有効であり（ステップ７４において「Ｙｅｓ」である）、音反応未検出であれば（ステップ７５において「Ｙｅｓ」である）、ステップ７６に移行して、タイマ１０７から時間（Ｔ１）を取得する。
次に、ステップ７７に移行して人感センサが有効であり（ステップ７７において「Ｙｅｓ」である）、人感反応未検出であれば（ステップ７８において「Ｙｅｓ」である）、ステップ７９に移行する。
ステップ７９で音センサが有効であり（ステップ７９において「Ｙｅｓ」である）、音反応未検出であれば（ステップ８０において「Ｙｅｓ」である）、ステップ８１に移行して、タイマ１０７から時間（Ｔ０）を取得する。
ステップ８２においてＴ０−Ｔ１が設定時間（２８８０時間）以上であれば（ステップ８２において「Ｙｅｓ」である）、ステップ８３において本イベントの発生を知らせるメール送信を指示し、ステップ７１に戻る。なお、指示はメール送信テーブルＴ３（図１３参照）への書き込みにより行われる。
【００６９】
（８−８）メール送信処理
メール送信制御部５７のメール送信処理について、図１２を用いて説明する。
まず、処理は、電源ボタン１１が長押しされて生活見守り装置１００の電源が入った状態となるとスタートする。
ステップ９１において、メール送信テーブルＴ３（図１３参照）にメール送信指示がある場合（ステップ９１において、「Ｙｅｓ」である）、ステップ９２に移行して、指示されたメールを読み出し、イベントメールテーブルＴ１（表２参照）のメールアドレス宛にメールを送信する（ステップ９３）。
ステップ９４に移行して、記憶部１０４のメール送信テーブルＴ３から送信したメールを削除し、ステップ９１に戻る。
【００７０】
（８−９）コマンドメール処理
コマンドメール制御部５８のコマンドメール処理について、図１４を用いて説明する。ここでは、コマンドメール設定が、前述の表９の場合について説明する。
まず、処理は、電源ボタン１１が長押しされて生活見守り装置１００の電源が入った状態となるとスタートする。
まず、ステップ１０１において、本機能の有効／無効を示す変数（Ｅｖ）が０（有効）である場合（ステップ１０１において「Ｙｅｓ」である）、次の状態に移行する。
ステップ１０２において、ＰＯＰ３サーバアクセス時間間隔が設定値（５分）を経過している場合（ステップ１０２において、「Ｙｅｓ」である）、次の状態に移行する。
ステップ１０３において、ＰＯＰ３サーバ（pop.example.com）にアクセスして、ユーザ認証（メールアドレス「tanaka@example.com」、メールアカウント「tanaka」、メールパスワード「MAIL_PASSWORD」の情報を使用して認証を行う）を済ませた後、ＰＯＰ３サーバに保存されているメールをダウンロードし、次の状態に移行する。
ステップ１０４において、ダウンロードしたメールを解析し、コマンドメールの書式のメールが存在する場合（コマンドメール用ユーザ名「user」、コマンドメール用パスワード「pass」を使用して判定する）（ステップ１０４において、「Ｙｅｓ」である）、次の状態に移行する。
ステップ１０５において、コマンドメール内に書かれている指定のコマンド（例えば、表１０参照）に対応した処理を行う。例えば、コマンド名が「STATUS」の場合には、現在のセンサデータに関する情報（温度、湿度等）を取得し、コマンド名が「DailyGraph」の場合には、一日分（指定した日付）のセンサデータに関する情報をグラフ化する等してコマンドを実行する。
ステップ１０６において、コマンドの実行結果を記載または添付したコマンド返信メールを作成し、メール送信テーブルＴ３に登録する。その後、ステップ１０１に戻る。
【００７１】
（８−１０）情報記憶処理
情報記憶制御部５９の情報記憶処理について、図１５を用いて説明する。
ここでは、センサデータに関する情報を、表１１に示す条件で記憶する場合について説明する。
【００７２】
【表１１】
2019191656.tif 000013
【００７３】
まず、処理は、電源ボタン１１が長押しされて生活見守り装置１００の電源が入った状態となるとスタートする。
ステップ１１１において、センサデータに関する情報を０クリアする。
ステップ１１２において、所定時刻（例えば、１０秒）である場合（ステップ１１２において、「Ｙｅｓ」である）、次の状態に移行しｎ＝ｎ＋１とし（ステップ１１３）、温度・湿度、人感センサ、音センサの情報を取得する（ステップ１１４）。
ステップ１１５において、ＷＢＧＴ、熱中症指数レベルを取得する。
ステップ１１６において、Ｔ１＝Ｔ１＋Ｔ，Ｍ１＝Ｍ１＋Ｍ，Ｂ１＝Ｂ１＋Ｂ，Ｖ１＝Ｖ１＋Ｖ，Ｗ１＝Ｗ１＋Ｗ，Ｌ１＝Ｌ１＋Ｌとする。
次に、ステップ１１７においてｎ＝６である場合（ステップ１１７において、「Ｙｅｓ」である）、次の状態に移行し、Ｔ１＝Ｔ１／６，Ｍ１＝Ｍ１／６，Ｗ１＝Ｗ１／６，Ｌ１＝Ｌ１／６を算出する（ステップ１１８）。
ステップ１１９において、現時刻，Ｔ１，Ｍ１，Ｂ１，Ｖ１，Ｗ１，Ｌ１を記憶し、ステップ１１１に戻る。
【００７４】
＜変形例＞
以上、一実施形態に係る生活見守り装置について説明したが、この実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００７５】
１．センサ部
実施形態のセンサ部１０２は、温湿度センサ２１、人感センサ２２、音センサ２３を全て備えるが、これに限定されず、例えば、何れか１つのセンサのみでもよい。また、温湿度センサではなく、温度センサ、湿度センサを別々に設けてもよい。さらに、磁気センサ、照度センサ、離床センサ等を備えていてもよい。
【００７６】
２．イベント
他のセンサを設け、センサ信号に応じたイベントを作成することも可能である。例えば、磁気センサのＯＮ／ＯＦＦによる扉または鍵の開閉、照度センサのＯＮ／ＯＦＦによる照明のＯＮ／ＯＦＦ、離床センサのＯＮ／ＯＦＦによる起床の確認等のイベントを作成するようにしてもよい。
【００７７】
３．制御部
実施形態では主制御部５０でマルチタスク処理をしたが、例えば、温湿度イベント制御部５１、熱中症イベント制御部５２、警報ブザー解除イベント制御部５３、定期通知イベント制御部５４、緊急ボタンイベント制御部５５、無反応イベント制御部５６、メール送信制御部５７、コマンドメール制御部５８、情報記憶制御部５９毎にＣＰＵを設け、別々に制御して、センサデータに関する情報を取得してもよい。
【００７８】
４．ＬＡＮ
実施形態では、無線ＬＡＮ接続の設定は、利用可能なアクセスポイントをスキャンして接続したいアクセスポイントを選択し、パスワードを入力して接続させたが、パスワードを入力せずにＷＰＳにて操作することも可能である。
【００７９】
５．メール送信処理
メール送信制御部５７のメール送信処理は、例えば、図１６に示すようにしてもよい。
まず、処理は、電源ボタン１１が長押しされて生活見守り装置１００の電源が入った状態となるとスタートする。
ステップ１９１において、メール送信テーブルＴ３（図１３参照）にメール送信指示があれば（ステップ１９１において、「Ｙｅｓ」である）、ステップ１９２に移行して、イベントメールテーブルＴ１（表２参照）からメールを読み出し、イベントメールテーブルＴ１のメールアドレス宛にメールを送信する（ステップ１９３）。
ステップ１９４に移行して、記憶部１０４のメール送信テーブルＴ３から送信したメールを削除し、ステップ１９１に戻る。
次に、ステップ１９１において、メール送信テーブルＴ３にメール送信の指示がない場合（ステップ１９１において「Ｎｏ」である）、ステップ１９５に移行してコマンドメールがある場合（ステップ１９１において、「Ｙｅｓ」である）は、ステップ１９６においてコマンドメール内のコマンドを読み出し、コマンドメールテーブルＴ２（表１０参照）に示すコマンド名に対応したデータ内容を設定された形式でそのメールアドレス宛に返信メールを送信し（ステップ１９７）、ステップ１９５に戻る。
一方、ステップ１９５において、コマンドメールがなければ（ステップ１９５において「Ｎｏ」である）、ステップ１９１に戻る。
【００８０】
６．情報記憶処理
実施形態では、情報記憶制御部５９がセンサデータに関する情報を記憶しているが、温湿度イベント制御部５１や熱中症イベント制御部５２等で取得したセンサデータに関する情報を作成し、記憶するようにしてもよい。
図１５では、センサデータに関する情報を、表１１に示す条件で記憶する場合の情報記憶処理について説明したが、条件は適宜変更可能であり、情報毎に個別に条件を設定することもできる。表１１は一例であり、センサデータの取得回数を増減させてもよい。
【００８１】
７．タイマ
タイマ１０７は、１個だけでなく複数個設けることもでき、現在の時刻以外に、例えば、イベント発生から次のイベント発生までの時間を計測することもできる。
【００８２】
８．情報の送信要求
情報の送信要求は、電子メールでの要求に限定されず、スマートフォンのアプリ等で要求してもよい。
【００８３】
９．コマンドメール
コマンドメールの存在の有無について、ユーザ名とパスワードから判断しているが、コマンドメールのタイトルから判断するようにしてもよい。この場合、コマンドメール区別用のタイトル名として、コマンドをメール本文中に記載するようにしてもよい。
【符号の説明】
【００８４】
１００  生活見守り装置
１０２  センサ部
１０４  記憶部
１０５  制御部
【図１】
2019191656.tif 000014
【図２】
2019191656.tif 000015
【図３】
2019191656.tif 000016
【図４】
2019191656.tif 000017
【図５】
2019191656.tif 000018
【図６】
2019191656.tif 000019
【図７】
2019191656.tif 000020
【図８】
2019191656.tif 000021
【図９】
2019191656.tif 000022
【図１０】
2019191656.tif 000023
【図１１】
2019191656.tif 000024
【図１２】
2019191656.tif 000025
【図１３】
2019191656.tif 000026
【図１４】
2019191656.tif 000027
【図１５】
2019191656.tif 000028
【図１６】
2019191656.tif 000029